(57)【特許請求の範囲】
【請求項１】
ふろ用熱交換器と、ふろ循環ポンプと、ふろ循環回路と、前記ふろ用熱交換器を加熱する加熱器とを有し、浴槽内の湯を循環させてふろ設定温度＋αに追い焚きするふろあつめ運転を行うふろ装置のリモコン装置に於いて、該リモコン装置に、ふろあつめ運転の開始を指示するふろあつめ運転スイッチと、スピーカーと、ふろあつめ運転を行う旨を音声で出力する音声出力制御部と、表示器と、ふろあつめ運転を行う旨を文字で表示する文字表示制御部とを設け、前記ふろあつめ運転スイッチがＯＮ操作されると、前記音声出力制御部がふろあつめ運転を行う旨を前記スピーカーから音声出力し、前記ふろ装置が実際にふろあつめ運転を開始すると、前記文字表示制御部がふろあつめ運転を行う旨を前記表示器に文字表示することを特徴とするふろ装置のリモコン装置。
【発明の詳細な説明】
【０００１】
【発明の属する技術分野】
本発明は、ふろの追い焚きができるふろ装置のリモコン装置に関し、特に浴槽内のお湯を少しあつめに追い焚きするふろあつめ運転スイッチを設けたふろ装置のリモコン装置に関する。
【０００２】
【従来の技術】
従来よりこの種のふろ装置に於いては、リモコン装置に設けられたふろあつめ運転スイッチのＯＮ操作により、浴槽水を循環加熱してふろの湯温を設定温度＋αまで追い焚きするふろあつめ運転を行うものが知られていた。
【０００３】
そして、この従来のものは、ふろあつめ運転スイッチをＯＮすると、スイッチ近傍に設けられたＬＥＤよりなるふろあつめ運転ランプを点灯し、ふろあつめ運転が終了するとふろあつめ運転スイッチを消灯するものであった。
【０００４】
【発明が解決しようとする課題】
しかし、この従来のものでは、ふろあつめ運転ランプの点灯表示はふろあつめ運転の実際の運転開始とは関係なく、例えばふろあつめ運転スイッチのＯＮ操作よりも先に浴槽内の湯量を一定量増加させる足し湯運転等が行われている状況では、この足し湯運転が終了した段階でふろあつめ運転が開始されるものであるのに、ふろあつめ運転ランプはふろあつめ運転スイッチのＯＮ操作と同時に点灯され、また、ふろあつめ運転が開始された後に、このふろあつめ運転よりも優先される他の運転モードの開始が指示される状況では、ふろあつめ運転を一旦停止して他の運転モードでの運転を行い、この他の運転モードが終了するとふろあつめ運転を再開するものであるが、ふろあつめ運転ランプは点灯したまま変わらないため、ふろあつめ運転を所望したユーザーにはふろあつめ運転の運転状況がわかりにくく不親切なものであった。
【０００５】
また、ふろあつめ運転が待機状態になった場合に、ユーザーがふろあつめ運転の開始を指示し忘れた頃にふろあつめ運転が突然開始すると、ふろあつめ運転は通常入浴中に行うものであるので入浴者が浴槽内のお湯の噴き出し口の直ぐ近傍に体を寄せていた場合には最悪やけどの危険が生じるといった可能性が考えられた。
【０００６】
【課題を解決するための手段】
この発明はこの点に着目し上記課題を解決するため、特にその構成を、ふろ用熱交換器と、ふろ循環ポンプと、ふろ循環回路と、前記ふろ用熱交換器を加熱する加熱器とを有し、浴槽内の湯を循環させてふろ設定温度＋αに追い焚きするふろあつめ運転を行うふろ装置のリモコン装置に於いて、該リモコン装置に、ふろあつめ運転の開始を指示するふろあつめ運転スイッチと、スピーカーと、ふろあつめ運転を行う旨を音声で出力する音声出力制御部と、表示器と、ふろあつめ運転を行う旨を文字で表示する文字表示制御部とを設け、前記ふろあつめ運転スイッチがＯＮ操作されると、前記音声出力制御部がふろあつめ運転を行う旨を前記スピーカーから音声出力し、前記ふろ装置が実際にふろあつめ運転を開始すると、前記文字表示制御部がふろあつめ運転を行う旨を前記表示器に文字表示するものとした。
【０００７】
これにより、ふろあつめ運転スイッチがＯＮ操作されると直ぐにふろあつめ運転を行う旨をスピーカーより音声出力し、ふろ装置でふろ循環ポンプの駆動と燃焼部での燃焼が開始されて実際にふろあつめ運転が開始或いは再開される度に表示器にふろあつめ運転を行う旨を文字表示するので、ふろあつめ運転の運転指示が受付けられたこととふろあつめ運転が行われることとを区別して、ふろあつめ運転の運転状況をユーザーにわかりやすく伝えることができ、入浴者に安心感を与えることができるものである。
【０００８】
【発明の実施の形態】
次にこの発明に係るふろ装置を図面に示された一実施形態に基づいて説明する。
【０００９】
１は給湯及びふろの追い焚きができるふろ給湯装置の本体で、給湯用熱交換器２及びふろ用熱交換器３とからなる熱交換器４が設けられている。
【００１０】
５は前記熱交換器４の下部に備えられこの熱交換器４を加熱する加熱器としての燃焼部で、石油気化式のバーナ６に送風機（図示せず）により燃焼用空気が送風されると共に、燃料ポンプ７により燃油が供給され、気化器８で気化した燃油と燃焼用空気の混合ガスが点火されて燃焼を行うものである。
【００１１】
９は給水管１０から給湯用熱交換器２を経て給湯管１１に至る給湯回路である。この給湯回路９途中には、流量を検知する流量センサ１２と、給水温度を検知する給水サーミスタ１３と、給湯用熱交換器２をバイパスするバイパス管１４と、このバイパス管１４からの水と給湯管１１の湯との混合比率を調整するミキシング弁１５と、給湯温度を検知する給湯サーミスタ１６と、断続給湯時の湯温ムラを防止する水比例弁１７が設けられている。
【００１２】
そして、給湯栓１８が開弁され、流量センサ１２が最低作動流量を検知すると、燃焼部５が給水温度と流量から適当な燃焼量で燃焼して給湯用熱交換器２を介して加熱し、給湯サーミスタ１６で検知する湯温が給湯設定温度になるように燃焼量の微調整とミキシング弁１５の混合比率調整を行って給湯するものである。
【００１３】
１９は浴槽２０とふろ用熱交換器３とを往管２１と復管２２とを介して循環可能に接続するふろ循環回路である。このふろ循環回路１９には、浴槽２０から往管２１を通ってふろ用熱交換器３に流入する浴槽水の温度を検知するふろサーミスタ２３と、往管２１とふろ用熱交換器３との間に位置してふろ循環回路１９内に浴槽水を循環させるふろ循環ポンプ２４と、ふろ用熱交換器３と復管２２との間に位置して、空焚き防止のため浴槽水の水流を検知する流水スイッチ２５とが設けられている。
【００１４】
そして、ふろ追い焚き指令があると、ふろ循環ポンプ２４を駆動して浴槽２０内の湯をふろ循環回路１９を循環させ、流水スイッチ２５で流水を検知すると燃焼部５での燃焼を開始してふろ用熱交換器３を介して浴槽水を加熱し、ふろサーミスタ２３がふろ設定温度に達するまで追い焚きを行うものである。
【００１５】
２６は一端を給湯サーミスタ１６下流の給湯回路９と接続し、他端を三方弁２７を介してふろ循環回路１９の往管２１と接続した湯張り回路である。そして、給湯回路９と湯張り回路２６との開通及び不通は電磁弁２８の開閉により行い、ふろ循環回路１９と湯張り回路２６との開通及び不通は前記三方弁２７の動作により行い、給湯回路９から供給されたお湯を湯張りフローセンサ２９により通水検知し、また、逆止弁３０にてふろ循環回路１９内の浴槽水が給湯回路９内に流れるのを防止しているものである。
【００１６】
３１はふろ給湯装置１の運転制御を行うマイコンより構成された本体側制御装置であり、リモコン装置３２より指示された運転モード（ふろ自動運転、ふろあつめ運転、足し湯運転等）に応じた制御を行うものである。
【００１７】
前記リモコン装置３２には、ふろ給湯装置１を動作可能な状態に待機させる電源スイッチ３３と、自動的に設定温度の湯を浴槽２０に設定量お湯張りして一定時間保温するふろ自動運転スイッチ３４と、浴槽２０内のお湯を設定温度＋α℃に追い焚きするふろあつめ運転スイッチ３５と、浴槽２０内に一定量の湯を足し湯する足し湯運転スイッチ３６と、ふろ設定温度を調整するふろ温度上昇スイッチ３７及びふろ温度下降スイッチ３８等の複数の操作スイッチが設けられている。
【００１８】
また、前記リモコン装置３２には、文字や図形をドットの集合として自在に表示するドットマトリクス型表示器３９と、このドットマトリクス型表示器３９を駆動するドライバ４０と、スピーカー４１と、このスピーカー４１を駆動するアンプ４２と、音声合成ＩＣより構成された音声出力制御部４３と、リモコン装置３２の制御を行うマイコンより構成されたリモコン側制御装置４４と、前記複数の操作スイッチの内どれが押圧されたかを判別する操作スイッチ判別部４５とが設けられている。
【００１９】
さらに、前記リモコン装置３２の前記電源スイッチ３３、ふろ自動運転スイッチ３４、ふろあつめ運転スイッチ３５、足し湯運転スイッチ３６には、それぞれスイッチ近傍にＬＥＤより成る電源ランプ４６、ふろ自動運転ランプ４７、ふろあつめ運転ランプ４８、足し湯運転ランプ４９が設けられ、スイッチが操作され運転開始が指示されると対応するランプを点灯し、運転終了で消灯するものである。
【００２０】
前記リモコン側制御装置４４には、ふろあつめ運転を開始する旨の文章（例えば「あつくします」）をドットの集合である文字データとして記憶した文字データ記憶部５０と、この文字データ記憶部５０に記憶された文字データを列または行単位で前記ドライバ４０へ送り前記ドットマトリクス型表示器３９に表示させる文字表示制御部５１とが設けられているものである。
【００２１】
また、前記音声出力制御部４３には、ふろあつめ運転を開始する旨の文章（例えば「あつくします」）を音声として記憶した音声データ記憶部５２が設けられており、この音声データ記憶部５２に記憶された音声データを前記アンプ４２を介して前記スピーカー４１から出力させるものであると共に、操作スイッチが押圧される度に操作確認音「ピッ」を出力させるものである。
【００２２】
前記本体側制御装置３１とリモコン側制御装置４４とは通信制御部５３ａ、５３ｂを介して２線通信方式で接続されているものである。尚、この通信制御部５３ａ、５３ｂの構成や通信方式は公知のものであるため説明を省略する。
【００２３】
そして、前記ドットマトリクス型表示器３９は、通常時は、給湯設定温度と、前記ふろ温度上昇スイッチ３７及びふろ温度下降スイッチ３８で設定されるふろ設定温度と、現在時刻とが表示されているもので、そして文字データを表示させる時には、前記給湯設定温度とふろ設定温度と現在時刻の表示を消して文字データを大きく表示することができるものである。
【００２４】
次に、この一実施形態の作動について、図３に示したフローチャートに基づいて説明する。
【００２５】
ふろあつめ運転スイッチ３５が押圧されてＯＮすると（ステップ１、以下ｓ１と略す）、ふろあつめ運転ランプ４８を点灯すると共に、音声出力制御部４３は操作確認音「ピッ」をスピーカーから出力する（ｓ２）。
【００２６】
操作確認音を出力し終わると、音声出力制御部４３は音声データ記憶部５２からふろあつめ運転スイッチ３５のＯＮ操作に対応する音声データ「あつくします」を読み出し、アンプ４２へ送ってスピーカーから音声でふろあつめ運転を行う旨を報知する（ｓ３）。
【００２７】
ここで、燃焼部５の気化器８の予熱が完了しているかをチェックする（ｓ４）。予熱が完了していなければ予熱完了するまで燃焼が行えないので、予熱完了までふろあつめ運転を待機する。
【００２８】
そして、予熱が完了した後は、足し湯運転要求があるかをチェックし（ｓ５）、足し湯運転の要求がある場合は、足し湯運転を完了するまでふろあつめ運転を待機する。
【００２９】
次に、浴槽２０内に残湯があるかをチェックし、この残湯チェック動作中もふろあつめ運転を待機する（ｓ６）。尚、ここで、お湯張り運転中である場合もふろあつめ運転を待機するものである。
【００３０】
次に、給湯運転要求の有無をチェックし（ｓ７）、要求有の場合は、この給湯温度が５５℃以上の高温であるかそれ以下の低温であるかをチェックし（ｓ８）、低温給湯であった場合は、ふろと給湯の同時湯温制御を行わずにふろあつめ運転を待機する。
【００３１】
そして、給湯運転要求無しになるか、または給湯運転要求有でも給湯温度が高温である場合は、ふろ循環ポンプ２４を駆動し、浴槽水をふろ用熱交換器３を循環させて加熱し、ふろサーミスタ２３の検知する浴槽水温度がふろ設定温度＋αの温度になるまで追い焚きするふろあつめ運転を開始する（ｓ９）と同時に、本体側制御装置３１がリモコン側制御装置４４の文字表示制御部５１にふろあつめ運転を実際に開始した旨の信号を送信し、文字表示制御部５１が文字データ記憶部５０から「あつくします」という文字データを読み出し、ドライバ４０へ送ってふろあつめ運転を行う旨を文字で表示する（ｓ１０）。
【００３２】
尚、このとき表示される文字データは図４に示すようにドットマトリクス型表示器３９のほぼ全面に大きく表示され、所定の点滅間隔で３回点滅して通常の温度や時間の表示に戻るものである。
【００３３】
ふろあつめ運転を開始してから終了する前に、割り込みでふろあつめ運転モードよりも優先される他の運転モード（足し湯運転、低温給湯運転）での運転要求があった場合（ｓ１１、ｓ１２、ｓ１３）は、ふろあつめ運転を一旦中断して割り込みで入ってきた他の運転モードが終了するまで待機する（ｓ１４）。
【００３４】
そして、他の運転モードが終了するとふろあつめ運転を再開すると共に、本体側制御装置３１がリモコン側制御装置４４の文字表示制御部５１にふろあつめ運転を実際に開始した旨の信号を送信し、文字表示制御部５１が文字データ記憶部５０から「あつくします」という文字データを再び読み出し、ドットマトリクス型表示器３９のほぼ全面に「あつくします」と再び表示し所定の点滅間隔で３回点滅して（ｓ１０）、ふろあつめ運転が再開されることを報知する。
【００３５】
そして、ふろサーミスタ２３で検知する浴槽水の湯温がふろ設定温度＋αに達すると（ｓ１５）、ふろあつめ運転ランプ４８を消灯すると共に、ふろあつめ運転を終了する（ｓ１６）ものである。
【００３６】
このように、ふろあつめ運転スイッチ３５がＯＮ操作された時には、ふろあつめ運転ランプ４８を点灯して操作確認音を出力し、その後音声でふろあつめ運転を行う旨を報知すると共に、ふろあつめ運転の実際の運転開始時及び運転再開時に文字でふろあつめ運転を行う旨を表示するので、ふろあつめ運転の開始指示が受付けられたことが明確にわかると共に、ふろあつめ運転が開始されていないのにユーザーがふろあつめ運転が開始されていると勘違いすることがなく、ふろあつめ運転の運転状況をよりわかりやすく伝えることができるものである。
【００３７】
また、ふろあつめ運転が開始或いは再開されるときふろあつめ運転を開始する旨の文字表示を大きくしかも点滅して表示するので、ユーザーがふろあつめ運転の開始を指示した後にふろあつめ運転が待機状態になり、このふろあつめ運転の待機状態が長く続くと、ふろあつめ運転の開始指示を行ったことをユーザーが忘れてしまい、浴槽２０内のお湯の噴き出し口（図示せず）近くに体を寄せていた場合などに、突然あついお湯が噴き出してきてびっくりしてしまうようなことを防止することができ、安心して入浴していることができるものである。
【００３８】
尚、この一実施形態では、ふろ用熱交換器３を加熱する加熱器を石油気化式の燃焼部５としたが、これに限らず、例えばヒーポンユニットにより熱媒と熱交換させる形の加熱器でも良いものである。
【００３９】
【発明の効果】
以上のように、本発明によれば、ふろあつめ運転の運転指示が受付けられたこととふろあつめ運転が行われることとを区別して、ふろあつめ運転の開始指示が受付けられたことが明確にわかると共に、ふろあつめ運転が開始されていないのにユーザーがふろあつめ運転が開始されていると勘違いすることがなく、ふろあつめ運転の運転状況をよりわかりやすく伝えることができ、入浴者に安心感を与えることができるという優れた効果を有するものである。
【図面の簡単な説明】
【図１】本発明の一実施形態のふろ給湯装置の概略構成図。
【図２】同一実施形態のブロック図。
【図３】同一実施形態の作動を示すフローチャート。
【図４】同一実施形態の文字表示の例を示す図。
【符号の説明】
１  ふろ給湯装置本体
３  ふろ用熱交換器
５  燃焼部（加熱器）
１９  ふろ循環回路
２０  浴槽
２４  ふろ循環ポンプ
３２  リモコン装置
３５  ふろあつめ運転スイッチ
３９  ドットマトリクス型表示器
４１  スピーカー
４３  音声出力制御部
５１  文字表示制御部
【図１】
0003913469.tif 000002
【図２】
0003913469.tif 000003
【図３】
0003913469.tif 000004
【図４】
0003913469.tif 000005